(57)【要約】      （修正有）【課題】便利かつ大型の表示パネル及び複雑な機能を提供できる電子システムを提供する。【解決手段】電子システムは、プロセッサ、モバイル機器、複数の拡張ポート及び拡張装置を含む。モバイル機器は、スタンドアローンシステムとして用い、モバイル機器は、複数の第１の機能モジュールを含む。拡張装置は、複数の第２の機能モジュールを含み、複数の拡張ポートを介してモバイル機器に接続される。モバイル機器と拡張装置との接続により電子システムが形成されると、第１のプロセッサは、電子システムを制御し、複数の第１の機能モジュール及び第２の機能モジュールの機能を実行する。【選択図】図１Ｂ
2010152887.tif 000002
【特許請求の範囲】
【請求項１】
プロセッサと、
スタンドアローンシステムとして用い、複数の第１の機能モジュールを含むモバイル機器と、
複数の拡張ポートと、
複数の第２の機能モジュールを有し、複数の拡張ポートを介してモバイル機器に接続する拡張装置と、を備え、
前記モバイル機器と前記拡張装置との接続により電子システムが形成されると、前記プロセッサにより前記電子システムを制御し、前記複数の第１の機能モジュール及び前記第２の機能モジュールの機能を実行するものであることを特徴とする電子システム。
【請求項２】
前記プロセッサは、前記モバイル機器の中に位置するものであることを特徴とする請求項１に記載の電子システム。
【請求項３】
前記モバイル機器又は前記拡張装置の中に配置された第２のプロセッサをさらに備え、
前記第２のプロセッサが前記拡張装置の中に位置するとき、前記拡張装置がスタンドアローンのコンピュータシステムであるため、前記モバイル機器と前記コンピュータシステムとが接続されるとき、前記コンピュータシステムの無線通信装置として前記モバイル機器を用いるものであることを特徴とする請求項２に記載の電子システム。
【請求項４】
前記複数の第１の機能モジュールは、第１の表示スクリーンを有し、
前記複数の拡張ポートは、表示拡張ポートを有し、
前記複数の第２の機能モジュールは、前記表示拡張ポートを介して前記モバイル機器に接続する第２の表示スクリーンを有し、
前記第２の表示スクリーンは、前記第１の表示スクリーンより広い表示エリアを有し、
前記モバイル機器と前記拡張装置とが接続されるとき、前記電子システムは、前記第２の表示スクリーン上に前記電子システムの情報を表示するものであることを特徴とする請求項１に記載の電子システム。
【請求項５】
前記複数の第１の機能モジュールは、第１のバッテリモジュールを有し、
前記複数の拡張ポートは、バッテリ拡張ポートを有し、
前記複数の第２の機能モジュールは、前記バッテリ拡張ポートを介して前記モバイル機器に接続した第２のバッテリモジュールを有し、
前記モバイル機器と前記拡張装置とが接続されるとき、前記第１のバッテリモジュール及び前記第２のバッテリモジュールの両方が電子システムの電源を供給するものであることを特徴とする請求項１に記載の電子システム。
【請求項６】
前記複数の第１の機能モジュールは、外部電源及び第１のバッテリモジュールに接続され、前記第１のバッテリモジュールを直接充電し、前記バッテリ拡張ポートを介して前記第２のバッテリモジュールを充電する充電回路をさらに有するものであることを特徴とする請求項７に記載の電子システム。
【請求項７】
前記複数の第１の機能モジュールは、無線通信を行う第１のアンテナをさらに有し、
前記複数の拡張ポートは、アンテナ拡張ポートをさらに有し、
前記複数の第２の機能モジュールは、無線通信を行う第２のアンテナをさらに有し、
前記第２のアンテナは、前記第１のアンテナと異なる無線通信技術を利用し、
前記モバイル装置と前記拡張デバイスとが接続されるとき、前記第１のアンテナ及び前記第２のアンテナの両方の無線通信技術を用いるものであることを特徴とする請求項１に記載の電子システム。
【請求項８】
データ転送又は充電を行うクライアントとして用いたり、Ｏｎ−Ｔｈｅ−Ｇｏ技術によりデータ転送を行うホストとして用いたりする少なくとも１つのＵＳＢポートをさらに備えるものであることを特徴とする請求項１に記載の電子システム。
【請求項９】
前記モバイル機器又は前記拡張装置の中に位置し、前記電子システムの中に情報を入力する少なくとも１つの入力インタフェースをさらに備えるものであることを特徴とする請求項１に記載の電子システム。
【請求項１０】
前記複数の拡張ポートは、前記拡張装置の側壁又は凹部上に形成され、前記拡張ポートを介して前記モバイル機器を前記拡張装置に接続するものであることを特徴とする請求項１に記載の電子システム。
【発明の詳細な説明】
【技術分野】
【０００１】
本発明は、電子システムに関する。特に、本発明は、モバイル機器及び拡張装置を有する電子システムに関する。
【背景技術】
【０００２】
携帯電話、ＰＤＡなどのモバイル機器には、携帯し易い小型化と、ラップトップ型コンピュータ又はパーソナルコンピュータと同等のルック・アンド・フィール（例えば、大型のＬＣＤ）及び複雑な機能を得ることができる強力な機能とが求められている。しかし、これら２つの要求は相容れないことは明白である。モバイル機器のサイズを縮小した場合、大型の表示パネル及び複雑な機能を提供する回路基板を配置することは困難となる。現在のところ、手持ち式装置の製造メーカは、満足な形状因子を開示していない。
【発明の概要】
【発明が解決しようとする課題】
【０００３】
そのため、便利かつ大型の表示パネル及び複雑な機能を提供するとともに、上述の問題を解決する電子システムが求められていた。本発明は、そのような必要性に合致する。
【課題を解決するための手段】
【０００４】
電子システムを提供する。この電子システムは、プロセッサ、モバイル機器、複数の拡張ポート及び拡張装置を含む。モバイル機器は、スタンドアローンシステムとして用いることができ、複数の第１の機能モジュールを含む。拡張装置は、複数の第２の機能モジュールを含み、複数の拡張ポートを介してモバイル機器に接続される。モバイル機器と拡張装置との接続により電子システムが形成されると、プロセッサは、電子システムを制御し、複数の第１の機能モジュール及び第２の機能モジュールの機能を実行する。
【０００５】
上述の概要及び以下の詳細な説明は単なる例であり、以下、本発明を詳細に説明する。
【発明の効果】
【０００６】
本発明の電子システムは、様々な状況下でも彼／彼女が必要なガジェットを持ち運び易い。この問題解決手法は、例えば、携帯電話及びＰＤＡなどの２つの全機能モバイル機器を携帯する場合と比べ、コスト性、携帯性及び柔軟性に優れている。
【図面の簡単な説明】
【０００７】
【図１Ａ】本発明の第１実施例に係る電子システムを示すブロック図である。
【図１Ｂ】本発明の第２実施例に係る電子システムを示すブロック図である。
【図２Ａ】本発明に係る表示スクリーンの電子システムを示す他のブロック図である。
【図２Ｂ】本発明に係る表示スクリーン及びキーパッドを有する電子システムを示す他のブロック図である。
【図３Ａ】本発明に係るバッテリモジュールを有する電子システムを示す他のブロック図である。
【図３Ｂ】本発明に係るバッテリモジュールを有する電子システムを示す他のブロック図である。
【図４】本発明に係るアンテナを有する電子システムを示す他のブロック図である。
【図５】本発明に係るＵＳＢポートを有する電子システムを示すブロック図である。
【図６Ａ】本発明に係る電子システムを示す斜視図である。
【図６Ｂ】本発明に係る電子システムを示す他の斜視図である。
【図６Ｃ】本発明に係る電子システムを示す他の斜視図である。
【発明を実施するための形態】
【０００８】
本発明は、以下の好適な実施例の詳細な説明及び添付した図面を参照すると良く理解することができる。
【０００９】
以下、本発明の好適な好ましい実施形態を図面を用いて具体的に説明する。図面及び説明で用いられる共通要素には、可能な限り同じ參照符号が用いられている。
【００１０】
図１Ａは、本発明の第１実施例に係る電子システム１を示すブロック図である。電子システム１は、プロセッサ１０、モバイル機器１１、複数の拡張ポート１２及び拡張装置１３を含む。モバイル機器１１は、スタンドアローンシステムとして用いてもよい。モバイル機器１１は、自分自身の機能モジュールを処理するために、自分自身のプロセッサ及び自分自身の入力インタフェースを有し、例えば、携帯電話、ＰＤＡ又はその他モバイル機器でもよい。モバイル機器１１は、複数の第１の機能モジュール（図示せず）を含む。拡張装置１３は、複数の第２の機能モジュール（図示せず）を含み、複数の拡張ポート１２を介してモバイル機器１１に接続する。モバイル機器１１と拡張装置１３とが互いに接続して電子システム１を形成するとき、プロセッサ１０は、電子システム１を制御し、複数の第１の機能モジュール及び第２の機能モジュールの機能を実行する。
【００１１】
図１Ａに示すように、本実施例のプロセッサ１０は、モバイル機器１１の中に位置する。モバイル機器１１は、第２のプロセッサ１１０をさらに含む。モバイル機器１１は、デュアルプロセッサの配置により、データ処理能力が大幅に向上する。しかし、ここで第２のプロセッサ１１０は、モバイル機器１１にとって必ずしも必要な構成要素ではない。
【００１２】
図１Ｂに示すように、第２実施例に係るプロセッサ１０は、拡張装置１３の中に位置してもよい。プロセッサ１０が拡張装置１３の中に位置するとき、モバイル機器１１の中のプロセッサは、第２のプロセッサ１１０として用いられる。拡張装置１３の中のプロセッサ１０は、実質上、電子システム１を制御する。拡張装置１３は、パーソナルコンピュータ、ノート型コンピュータなどのスタンドアローンでもよく、モバイル機器１１は、パーソナルコンピュータ又はノート型パソコンの無線通信装置でもよい。
【００１３】
図２Ａは、電子システム１を示す他のブロック図である。モバイル機器１１の複数の第１の機能モジュールは、第１の表示スクリーン１１１と、表示拡張ポート１２１を含む複数の拡張ポート１２と、を含み、拡張装置１３の複数の第２の機能モジュールは、表示拡張ポート１２１を介してモバイル機器１１に接続する第２の表示スクリーン１３１を含む。第２の表示スクリーン１３１は、第１の表示スクリーン１１１より大きな表示エリアを有する。モバイル機器１１と拡張装置１３とが接続されるとき、電子システム１は、第２の表示スクリーン１３１上に電子システム１の情報を示す。言い換えると、システムがスタンドアローンのモバイル機器１１の場合、ユーザが第１の表示スクリーン１１１を使用して利便性を高めたり、システムが電子システム１の場合、第２の表示スクリーン１３１を使用して表示スクリーンを大きくしたりしてもよい。さらに、モバイル機器１１及び拡張装置１３の両方は、少なくとも１つの入力インタフェースを有する。図２Ｂは、モバイル機器１１及び拡張装置１３上のキーパッド１１’及びキーパッド１３’を有する電子システム１の実施例を示す。
【００１４】
図３Ａは、電子システム１を示す他のブロック図である。モバイル機器１１の複数の第１の機能モジュールは、第１のバッテリモジュール１１２と、バッテリ拡張ポート１２２を含む複数の拡張ポート１２と、を含み、拡張装置１３の複数の第２の機能モジュールは、表示拡張ポート１２２を介してモバイル機器１１に接続された第２のバッテリモジュール１３２を含む。モバイル機器１１と拡張装置１３とが互いに接続されるとき、第１のバッテリモジュール１１２及び第２のバッテリモジュール１３２の両方は、電子システム１へ電源を供給する。本実施例において、複数の第１の機能モジュールは、外部電源（図示せず）及び第１のバッテリモジュール１１２に接続され、第１のバッテリモジュールを直接充電し、バッテリ拡張ポート１２２を介して第２のバッテリモジュール１３２を充電する充電回路１１２’をさらに含む。図３Ｂに示すように、他の実施形態において、充電回路１３２’は、拡張装置１３の中にあり、第２のバッテリモジュール１３２を直接充電し、バッテリ拡張ポート１２２を介して第１のバッテリモジュール１１２を充電する。
【００１５】
図４は、電子システム１を示す他のブロック図である。モバイル機器１１の複数の第１の機能モジュールは、無線通信を行う第１のアンテナ１１３を含む。複数の拡張ポート１２は、アンテナ拡張ポート１２３をさらに含み、拡張装置１３の複数の第２の機能モジュールは、第２のアンテナ１３３をさらに含んで無線通信を行い、第２のアンテナ１３３は、第１のアンテナ１１３と異なる無線通信技術を採用している。モバイル機器１１と拡張装置１３とが接続されるとき、第１のアンテナ１１３及び第２のアンテナ１３３の無線通信技術を使用する。第１のアンテナは、ＧＳＭ、ＧＰＲＳ、ＥＤＧＥ、ＷＣＤＭＡ、ＨＳＤＰＡ、ＨＳＵＰＡ、ＨＳＰＡ＋、ＬＴＥ、ＷｉＭａｘ、ＷｉＦｉ、Ｂｌｕｅｔｏｏｔｈ、ＧＰＳなどの無線技術を利用する。第２のアンテナは、ＧＰＳ、ＤＶＢ−Ｔ、ＤＶＢ−Ｈなどの無線技術を利用する。
【００１６】
図５は、電子システム１を示す他のブロック図である。モバイル機器１１の複数の第１の機能モジュールは、ＵＳＢポート１１４を含む。ＵＳＢポートには大きく２種類のタイプがある：（１）ＵＳＢポートをクライアントとして用い、データ転送又は充電を行う。（２）ＵＳＢポートは、Ｏｎ−Ｔｈｅ−Ｇｏ技術を支援し、ホストとして用い、データ転送を行う。ＵＳＢポートの種類及び数は、当業者であれば容易に調整することができる。拡張装置１３の複数の第２の機能モジュールは、上述のＵＳＢポート１３４を含み、拡張装置１３上のＵＳＢポートの種類及び数も当業者であれば容易に調整することができる。
【００１７】
図６Ａは、本発明の電子システム１を示す斜視図である。複数の拡張ポート１２は、拡張装置１３の側壁６０上に形成され、モバイル機器１１が拡張装置１３と接続する。図６Ｂは、本発明の電子システム１を示す他の斜視図である。凹部６１は、拡張装置１３上に形成され、複数の拡張ポート１２が凹部に形成され、モバイル機器が凹部６１に利用され、拡張装置１３に接続される。凹部６１は、図６Ｂに示すように、拡張装置１３の１コーナーに形成したり、図６Ｃに示すように、拡張装置１３の中間部分に形成したりしてもよい。
【００１８】
本発明の電子システムは、様々な状況下でも彼／彼女が必要なガジェットを持ち運び易い。この問題解決手法は、例えば、携帯電話及びＰＤＡなどの２つの全機能モバイル機器を携帯する場合と比べ、コスト性、携帯性及び柔軟性に優れている。
【００１９】
当該分野の技術を熟知するものが理解できるように、本発明の好適な実施例を前述の通り開示したが、これらは決して本発明を限定するものではない。本発明の主旨と領域を脱しない範囲内で各種の変更や修正を加えることができる。従って、本発明の特許請求の範囲は、このような変更や修正を含めて広く解釈されるべきである。
【符号の説明】
【００２０】
１    電子システム
１０    プロセッサ
１１    モバイル機器
１１’  キーパッド
１２    拡張ポート
１３    拡張装置
１３’  キーパッド
６０    側壁
６１    凹部
１１０    第２のプロセッサ
１１１    第１の表示スクリーン
１１２    第１のバッテリモジュール
１１２’  充電回路
１１３    第１のアンテナ
１１４    ＵＳＢポート
１２１    表示拡張ポート
１２２    バッテリ拡張ポート
１２３    アンテナ拡張ポート
１３１    第２の表示スクリーン
１３２    第２のバッテリモジュール
１３２’  充電回路
１３３    第２のアンテナ
１３４    ＵＳＢポート
【図１Ａ】
2010152887.tif 000003
【図１Ｂ】
2010152887.tif 000004
【図２Ａ】
2010152887.tif 000005
【図２Ｂ】
2010152887.tif 000006
【図３Ａ】
2010152887.tif 000007
【図３Ｂ】
2010152887.tif 000008
【図４】
2010152887.tif 000009
【図５】
2010152887.tif 000010
【図６Ａ】
2010152887.tif 000011
【図６Ｂ】
2010152887.tif 000012
【図６Ｃ】
2010152887.tif 000013
【手続補正書】
【提出日】平成22年2月12日(2010.2.12)
【手続補正１】
【補正対象書類名】特許請求の範囲
【補正対象項目名】全文
【補正方法】変更
【補正の内容】
【特許請求の範囲】
【請求項１】
プロセッサと、
スタンドアローンシステムとして用い、複数の第１の機能モジュールを含むモバイル機器と、
複数の拡張ポートと、
複数の第２の機能モジュールを有し、複数の拡張ポートを介してモバイル機器に接続する拡張装置と、を備え、
前記モバイル機器と前記拡張装置との接続により電子システムが形成されると、前記プロセッサにより前記電子システムを制御し、前記複数の第１の機能モジュール及び前記第２の機能モジュールの機能を実行するものであることを特徴とする電子システム。
【請求項２】
前記プロセッサは、前記モバイル機器の中に位置するものであることを特徴とする請求項１に記載の電子システム。
【請求項３】
前記モバイル機器又は前記拡張装置の中に配置された第２のプロセッサをさらに備え、
前記第２のプロセッサが前記拡張装置の中に位置するとき、前記拡張装置がスタンドアローンのコンピュータシステムであるため、前記モバイル機器と前記コンピュータシステムとが接続されるとき、前記コンピュータシステムの無線通信装置として前記モバイル機器を用いるものであることを特徴とする請求項２に記載の電子システム。
【請求項４】
前記複数の第１の機能モジュールは、第１の表示スクリーンを有し、
前記複数の拡張ポートは、表示拡張ポートを有し、
前記複数の第２の機能モジュールは、前記表示拡張ポートを介して前記モバイル機器に接続する第２の表示スクリーンを有し、
前記第２の表示スクリーンは、前記第１の表示スクリーンより広い表示エリアを有し、
前記モバイル機器と前記拡張装置とが接続されるとき、前記電子システムは、前記第２の表示スクリーン上に前記電子システムの情報を表示するものであることを特徴とする請求項１に記載の電子システム。
【請求項５】
前記複数の第１の機能モジュールは、第１のバッテリモジュールを有し、
前記複数の拡張ポートは、バッテリ拡張ポートを有し、
前記複数の第２の機能モジュールは、前記バッテリ拡張ポートを介して前記モバイル機器に接続した第２のバッテリモジュールを有し、
前記モバイル機器と前記拡張装置とが接続されるとき、前記第１のバッテリモジュール及び前記第２のバッテリモジュールの両方が電子システムの電源を供給するものであることを特徴とする請求項１に記載の電子システム。
【請求項６】
前記複数の第１の機能モジュールは、外部電源及び第１のバッテリモジュールに接続され、前記第１のバッテリモジュールを直接充電し、前記バッテリ拡張ポートを介して前記第２のバッテリモジュールを充電する充電回路をさらに有するものであることを特徴とする請求項５に記載の電子システム。
【請求項７】
前記複数の第１の機能モジュールは、無線通信を行う第１のアンテナをさらに有し、
前記複数の拡張ポートは、アンテナ拡張ポートをさらに有し、
前記複数の第２の機能モジュールは、無線通信を行う第２のアンテナをさらに有し、
前記第２のアンテナは、前記第１のアンテナと異なる無線通信技術を利用し、
前記モバイル装置と前記拡張デバイスとが接続されるとき、前記第１のアンテナ及び前記第２のアンテナの両方の無線通信技術を用いるものであることを特徴とする請求項１に記載の電子システム。
【請求項８】
データ転送又は充電を行うクライアントとして用いたり、Ｏｎ−Ｔｈｅ−Ｇｏ技術によりデータ転送を行うホストとして用いたりする少なくとも１つのＵＳＢポートをさらに備えるものであることを特徴とする請求項１に記載の電子システム。
【請求項９】
前記モバイル機器又は前記拡張装置の中に位置し、前記電子システムの中に情報を入力する少なくとも１つの入力インタフェースをさらに備えるものであることを特徴とする請求項１に記載の電子システム。
【請求項１０】
前記複数の拡張ポートは、前記拡張装置の側壁又は凹部上に形成され、前記拡張ポートを介して前記モバイル機器を前記拡張装置に接続するものであることを特徴とする請求項１に記載の電子システム。
【手続補正２】
【補正対象書類名】明細書
【補正対象項目名】００１４
【補正方法】変更
【補正の内容】
【００１４】
図３Ａは、電子システム１を示す他のブロック図である。モバイル機器１１の複数の第１の機能モジュールは、第１のバッテリモジュール１１２と、バッテリ拡張ポート１２２を含む複数の拡張ポート１２と、を含み、拡張装置１３の複数の第２の機能モジュールは、バッテリ拡張ポート１２２を介してモバイル機器１１に接続された第２のバッテリモジュール１３２を含む。モバイル機器１１と拡張装置１３とが互いに接続されるとき、第１のバッテリモジュール１１２及び第２のバッテリモジュール１３２の両方は、電子システム１へ電源を供給する。本実施例において、複数の第１の機能モジュールは、外部電源（図示せず）及び第１のバッテリモジュール１１２に接続され、第１のバッテリモジュールを直接充電し、バッテリ拡張ポート１２２を介して第２のバッテリモジュール１３２を充電する充電回路１１２’をさらに含む。図３Ｂに示すように、他の実施形態において、充電回路１３２’は、拡張装置１３の中にあり、第２のバッテリモジュール１３２を直接充電し、バッテリ拡張ポート１２２を介して第１のバッテリモジュール１１２を充電する。
【外国語明細書】
2010152887000001.pdf